(57)【要約】  【課題】本発明は、省電力状態から通常状態への復帰と同時にユーザの所望する機能のモードへ移行させることが可能な表示装置およびその表示装置を備えた画像形成装置を提供することを目的とする。  【解決手段】本実施形態の複写機１は、省電力状態時には、液晶ディスプレイ３６への電力の供給が停止され、タッチパネル３５のＸ方向の座標値のみが検出される検出待機状態に移行し、その省電力状態時に、ユーザによりタッチパネル３５の動作モード選択領域３８の中から所望の機能のモードへ移行する領域が選択され接触されると、液晶ディスプレイ３６への電力の供給が再開されて省電力状態から通常状態に復帰するとともに、同時にメモリ部１４に記憶されたその検出されたＸ方向の座標値に関連付けられた命令によりその所望の機能の動作が可能になるモードに移行する構成とされている。【選択図】      図４
2006211225.tif 000002
【特許請求の範囲】
【請求項１】
所定の画像を表示する表示部と、該表示部の上に配置され、入力あるいは操作のために接触されるタッチパネルと、接触された該タッチパネルの接触点の座標値を検出する座標検出手段と、所定の条件が満たされると通常状態から省電力状態に移行し、前記表示部への電力の供給を停止する省電力制御部と、を有して成る表示装置において、
複数の領域に分割された前記タッチパネルの該領域ごとに、該領域の座標値と関連付けられた所定の命令を記憶するメモリ部と、前記省電力状態時に前記座標検出手段により該タッチパネルの接触点の座標値が検出される場合には、前記表示部への電力の供給を再開するとともに、検出された前記タッチパネルの接触点の座標値に応じて、前記所定の命令を実行する制御部を有して成ることを特徴とする表示装置。
【請求項２】
前記所定の命令は、所定の機能の動作が可能となるモードへの移行命令であることを特徴とする請求項１に記載の表示装置。
【請求項３】
前記座標検出手段は、前記省電力状態時にＸ方向あるいはＹ方向のいずれか１方向のみの座標値を検出することを特徴とする請求項１または請求項２に記載の表示装置。
【請求項４】
前記請求項１から請求項３のいずれかに記載の表示装置を備えた画像形成装置。
【発明の詳細な説明】
【技術分野】
【０００１】
本発明は、タッチパネルを有する表示装置およびその表示装置を備えた複写機、プリンタ、ファックス、複合機等の画像形成装置に関するものであり、特に、その省電力状態から通常状態への復帰時における操作技術に関するものである。
【背景技術】
【０００２】
従来より、タッチパネルを有する表示装置を備えた画像形成装置の省電力状態時には、通常状態時に行われるタッチパネルのＸ方向およびＹ方向の座標値を検出するためのトランジスタ等の切り替え動作が停止され、更にタッチパネルの下に設置される液晶ディスプレイ等の表示部への電力供給が削減あるいは停止され、消費電力の低減が行われている。また、その省電力状態から通常状態への復帰時には、ユーザによるタッチパネルへの接触がタッチパネルの電圧や指圧の変化として検出されることで通常状態に復帰されている（例えば、特許文献１を参照）。また、通常状態への復帰後にユーザによって接触されたタッチパネルの接触点の座標位置の検出は、トランジスタ等の切り替え動作を繰り返し行うことで、随時、タッチパネルへの接触点の座標値の検出が行われている。
【０００３】
また、その省電力状態からの復帰時において、例えば、複写、スキャナおよびファックス等の機能を備えた画像形成装置では、複写、スキャナおよびファックス等の機能のうちいずれかの機能を動作可能なモード（以下、動作モードと呼ぶ）に移行させる方法として、「省電力状態への移行前の動作モードをメモリ部に記憶させておき、省電力状態から通常状態への復帰時にメモリ部に記憶されたその動作モードに一旦復帰された後に、ユーザの所望する動作モードへ切り替えられる」か、あるいは「通常状態への復帰時には、電源投入時の初期設定の動作モードへ一旦復帰された後に、ユーザの所望する動作モードに切り替えられる」などの方法がある。
【０００４】
ここで、動作モードの選択手段の構成およびその選択方法について以下に説明する。図１０は、従来の画像形成装置における動作モード切替用ボタンを備えた操作パネルを示す図である。図１１は、従来の画像形成装置におけるタッチパネルの下に液晶ディスプレイを備えた操作パネルを示す図である。動作モードの選択手段の構成およびその選択方法は、大きく分けて２つあり、その１つは、図１０に示すように、操作パネル２００上のタッチパネル２０２の横に動作モードを切り替えるための動作モード切替用ボタン２０１として、例えば、複写機能のモードに切り替えるための複写モード切替用ボタン２０１ａ、ファックス機能のモードに切り替えるためのファックスモード切替用ボタン２０１ｂおよびスキャナ機能のモードに切り替えるためのスキャナモード切替用ボタン２０１ｃといった物理的なボタンを設けて、そのボタンの押下により動作モードが変更される方法（以下、ボタン構成形式と呼ぶ）である。
【０００５】
また、もう１つは、図１１に示すように、タッチパネル２０２の下に設置される液晶ディスプレイ（不図示）にタッチパネル２０２による動作モードの切り替えの検出範囲として表示される動作モード切替用ボタン表示部２０６として、例えば、複写機能のモードに切り替えるための検出範囲として表示される複写モード切替用ボタン表示部２０６ａ、ファックス機能のモードに切り替えるための検出範囲として表示されるファックスモード切替用ボタン表示部２０６ｂおよびスキャナ機能のモードに切り替えるための検出範囲として表示されるスキャナモード切替用ボタン表示部２０６ｃといった表示がされて、ユーザが所望する機能の動作モード切替用ボタン表示部２０６上のタッチパネル２０２部分が接触され押下されることにより動作モードが変更される方法（以下、ＬＣＤ表示構成形式と呼ぶ）である。なお、各操作パネルは、図１０および図１１に示すように、数値等を入力するためのテンキー２０３、各モードでの処理を開始するための開始ボタン２０４、開始された処理を停止させるための停止ボタン２０５が備えられている。
【特許文献１】特開平６−３２４７８７号公報
【発明の開示】
【発明が解決しようとする課題】
【０００６】
確かに、上記構成から成る表示装置を備えた画像形成装置であれば、省電力状態から通常状態への復帰については、ユーザによるタッチパネルへの接触がタッチパネルの電圧や指圧の変化として検知されることで、通常状態に復帰することが可能である。そして、省電力状態から通常状態への復帰時における動作モードの移行は、「省電力状態前の動作モードをメモリ部に記憶させておき、通常状態への復帰時にメモリ部に記憶された動作モードに一旦復帰された後に、ボタン構成形式あるいはＬＣＤ表示構成形式が利用されてユーザの所望する動作モードへ切り替えられる」か、あるいは「通常状態への復帰時には、電源投入時の初期設定のモードへ一旦復帰された後に、ユーザの所望する動作モードにボタン構成形式あるいはＬＣＤ表示構成形式が利用されてユーザの所望する動作モードに切り替えられる」ことで可能である。
【０００７】
また、通常状態への復帰後でのタッチパネルのユーザによって接触される接触点の座標位置の検出は、トランジスタ等の切り替え動作を繰り返し行うことによって、随時、タッチパネルへの接触点の座標値を検出することが可能である。
【０００８】
しかしながら、従来の表示装置を備えた画像形成装置は、省電力状態から通常状態への復帰時に省電力状態前の動作モードをメモリ部に記憶させておく方法が用いられる場合に、省電力状態前の動作モードを記憶しておくためのメモリ領域が必要となってしまう。また、省電力状態から通常状態へ復帰後にユーザが使用したい動作モードへ移行される場合には、初めに省電力状態から通常状態に一旦復帰させ、次に所望の動作モードを選択するといった２つの作業を行わなければならず、その操作が煩わしいという問題があった。
【０００９】
また、動作モードの変更にボタン構成形式が用いられている場合には、ＬＣＤ表示構成形式に対して、ボタンを設置するスペースとボタンの押下を検知するための回路が必要になるため、ＬＣＤ表示構成形式よりもコストが掛かってしまうという問題があった。
【００１０】
本発明は、上記の問題点に鑑み、省電力状態から通常状態への復帰と同時にユーザの所望する機能のモードへ移行させることが可能な表示装置およびその表示装置を備えた画像形成装置を提供することを目的とする。
【課題を解決するための手段】
【００１１】
上記目的を達成するために、本発明に係る表示装置は、所定の画像を表示する表示部と、該表示部の上に配置され、入力あるいは操作のために接触されるタッチパネルと、接触された該タッチパネルの接触点の座標値を検出する座標検出手段と、所定の条件が満たされると通常状態から省電力状態に移行し、前記表示部への電力の供給を停止する省電力制御部と、を有して成り、複数の領域に分割された前記タッチパネルの該領域ごとに、該領域の座標値と関連付けられた所定の命令を記憶するメモリ部と、前記省電力状態時に前記座標検出手段により該タッチパネルの接触点の座標値が検出される場合には、前記表示部への電力の供給を再開するとともに、検出された前記タッチパネルの接触点の座標値に応じて、前記所定の命令を実行する制御部を有して成る構成とされている。このような構成とすることにより、省電力状態から通常状態への復帰と同時にユーザの所望する機能のモードへの移行あるいは所定の画面への移行を１回の動作で行うことが可能となる。
【００１２】
また、上記構成から成る表示装置における前記所定の命令は、所定の機能の動作が可能となるモードへの移行命令とされている。このような構成とすることにより、省電力状態から通常状態への復帰と同時にユーザの所望する機能のモードへの移行を１回の動作で行うことが可能となる。
【００１３】
また、上記構成から成る表示装置における前記座標検出手段は、前記省電力状態時にＸ方向あるいはＹ方向のいずれか１方向のみの座標値を検出する構成とされている。このような構成とすることにより、省電力状態時におけるトランジスタの切り替え動作が行われないため、消費電力の削減を図ることが可能になる。
【００１４】
また、本発明に係る画像形成装置は、上記構成から成る表示装置を備えた構成とされている。このような構成とすることにより、省電力状態時におけるトランジスタの切り替え動作が行われないため、消費電力を削減を図ることが可能になるとともに、省電力状態から通常状態への復帰と同時にユーザの所望する機能のモードへの移行あるいは所定の画面への移行を１回の動作で行うことが可能となる。
【発明の効果】
【００１５】
上記したように、本発明に係る表示装置およびその表示装置を備えた画像形成装置であれば、省電力状態時における消費電力の削減することが可能になるとともに、省電力状態から通常状態への復帰と同時にユーザの所望する機能のモードへの移行あるいは所定の画面への移行を１回の動作で行うことが可能となる。
【発明を実施するための最良の形態】
【００１６】
以下では、本発明の表示装置およびその表示装置を備えた画像形成装置をファックス、スキャナ、および複写機能を備えた複合機である複写機に適用した場合を例に挙げて説明を行う。図１は本発明に係る複写機の要部構成を示すブロック図であり、図２は本発明に係る複写機の要部構造を模式的に示す縦断面図である。両図に示すように、本実施形態の複写機１は、装置全体の動作を制御する中央演算処理装置１０（以下、ＣＰＵ［Central Processing Unit］１０と呼ぶ）と、原稿を自動搬送する原稿搬送部１１と、原稿搬送部１１から搬送された原稿を取り込んで画像データを生成する原稿取込部１２と、入力操作手段（テンキーやタッチパネルなど）と表示手段（液晶ディスプレイなど）等から成る操作表示部１３と、画像データに基づいて用紙への画像出力を行う画像形成部１５（プリンタヘッドや感光ドラムから成るプリント部１５１と、該プリント部１５１で得られた画像出力を用紙に定着させる定着部１５２とを含む）と、画像形成部１５に給紙を行う給紙部１６と、各種制御プログラム等が格納されたＲＯＭ［Read Only Memory］やワーク領域として用いられるＲＡＭ［Random Access Memory］および複数の領域に分割されたタッチパネルの領域ごとに、その領域の座標値と関連付けられた所定の命令や各種データ等を記憶するハードディスクからなるメモリ部１４と、印刷が完了した用紙の排紙先となる排紙部１７と、ファックス通信に必要なデータの調整および電話回線６０との接続を確立するためのファックス通信部１８（略称、ＦＡＸ通信部１８）と、を有して成る。
【００１７】
ＣＰＵ１０は、プログラムに従って装置全体の動作を制御するほか、後ほど詳細に説明するように、タッチパネルの接触点の座標値を検出する座標検出手段の一部、所定の時間経過しても複写機１が利用されない等の所定の条件を満たすと、省電力状態に移行し、操作表示部１３の液晶ディスプレイへの電力の供給を停止させる省電力制御部としての役割も担い、また、省電力状態時に座標検出手段によりタッチパネルの接触点の座標値が検出される場合には、操作表示部１３の液晶ディスプレイへの電力の供給を再開するとともに、検出された座標値に応じて、メモリ部１４に記憶された所定の命令（例えば、ユーザにより選択された機能のモードへの移行する命令）の処理に関する制御を行う。
【００１８】
給紙部１６は、画像形成部１５への給紙元となる複数段（本実施形態では３段）の用紙収納部１６１ａ〜１６１ｃと、各用紙収納部１６１ａ〜１６１ｃから画像形成部１５への共通した用紙搬送経路となる用紙搬送部１６２と、を有して成る。
【００１９】
ここで、本実施形態の複写機の操作表示部１３について図を参照して以下に説明を行う。図３は、本実施形態の複写機１における操作表示部１３の通常状態時の操作パネルの一例を示す図である。図４は、本実施形態の複写機１における操作表示部１３の省電力状態時の操作パネルの一例を示す図である。操作表示部１３は、図３および図４に示すように、各種入力や操作が行われる操作パネル３０と、後述の各機能のモードで開始された処理を停止させるための停止ボタン３１と、後述の各機能のモードでの処理を開始させるための開始ボタン３２と、数値等を入力するためのテンキー３３と、ユーザ等の接触により入力および操作が行われる手段となり、後述の液晶ディスプレイ３６の直上に配置されたタッチパネル３５と、通常状態時には所定の画像が表示され、省電力状態時には電源（不図示）からの電力供給が停止されてその表示が消える液晶ディスプレイ３６と、各機能のモードに切り替えのためのタッチパネル３５の検出範囲を説明する動作モード切替用ボタン説明部３４と、を有して成る。
【００２０】
また、液晶ディスプレイ３６には、図３に示すように、通常状態時に、タッチパネル３５への接触によって、複写、ファックスおよびスキャナ機能のうちいずれかを選択して機能を切り替えるための検出範囲を示すための動作モード切替用ボタン表示部３７が表示される。
【００２１】
また、動作モード切替用ボタン表示部３７は、タッチパネル３５への接触により複写機能のモードへの移行が選択される際の検出範囲として表示される複写モード切替部３７ａと、タッチパネル３５への接触によりファックス機能のモードへの移行が選択される際の検出範囲として表示されるファックスモード切替部３７ｂと、タッチパネル３５への接触により原稿画像の取り込みによる画像データの生成を行うスキャナ機能のモードへの移行が選択される際の検出範囲として表示されるスキャナモード切替部３７ｃと、から成る。
【００２２】
また、タッチパネル３５は、図４に示すように、ＣＰＵ１０の制御により通常状態から省電力状態の移行時に、接触されることによって省電力状態から通常状態への復帰と同時に選択された機能の動作が可能になるモードへ移行を行うための検出領域となる動作モード選択領域３８が設定される。その動作モード選択領域３８は、省電力時に複写機能のモードを選択するときに接触され押下されると、通常状態への復帰と同時に複写機能が動作可能になるモードへ移行させる複写モード領域３８ａと、省電力時にファックス機能のモードを選択するときに接触され押下されると、通常状態への復帰と同時にファックス機能が動作可能になるモードへ移行させるファックスモード領域３８ｂと、省電力時にスキャナ機能のモードを選択するときに接触され押下されると、通常状態への復帰と同時にスキャナ機能が動作可能になるモードへ移行させるスキャナモード領域３８ｃと、を有して成る。なお、複写モード領域３８ａ、ファックスモード領域３８ｂおよびスキャナモード領域３８ｃの座標値と関連付けられたそれらの機能の動作が可能になるモードに移行させる命令がメモリ部１４に予め記憶されている。
【００２３】
また、動作モード切替用ボタン説明部３４は、図３および図４に示すように、複写モード切替部３７ａおよび複写モード領域３８ａを説明する複写モード説明部３４ａと、ファックスモード切替部３７ｂおよびファックスモード領域３８ｂを説明するファックスモード説明部３４ｂと、スキャナモード切替部３７ｃおよびスキャナモード領域３８ｃを説明するスキャナモード説明部３４ｂｃと、を有して成る。
【００２４】
次に、本実施形態の複写機１におけるタッチパネル３５がユーザにより接触された接触点の座標値の検出動作を行う要部構成およびその検出方法について以下に説明する。まず初めに、本実施形態の複写機１におけるタッチパネル３５とそのタッチパネル３５に接続された回路部について説明する。図５は、本実施形態における複写機１のタッチパネル３５と回路部の概略構成の一例を示す図である。通常、タッチパネルの接触点の座標値を検出するための構成は、信号線を最小限で構成して２次元の座標値を検出するために、図５のような構成で実現されている。
【００２５】
本実施形態の複写機１におけるタッチパネル３５と回路部５０では、図５に示すように、タッチパネル３５において、スペーサ（不図示）を介して、抵抗膜４1、４２が対向配置されている。抵抗膜４１の両端には、電極ＹＢ、ＹＴが形成され、もう一方の抵抗膜４２の両端には、電極ＸＲ、ＸＬが形成されている。回路部５０において、端子５１ａ〜５１ｄに一定電圧ＶREFが供給されている。なお、電極ＸＲ―ＸＬ間をＸ方向、電極ＹＴ―ＹＢ間をＹ方向とする。
【００２６】
また、抵抗膜４１の電極ＹＢは、信号線ＩＳＩＧ１ａによりトランジスタＴｒ３のコレクタ端子および出力端子ＩＳＩＧ１に接続されている。また、端子５１ａは、ＰＮＰ型のトランジスタＴｒ１のコレクタ端子に接続され、トランジスタＴｒ１のエミッタ端子から抵抗Ｒ３に接続されている。抵抗Ｒ３のもう一端が抵抗Ｒ４およびＮＰＮ型のトランジスタＴｒ３のベース端子に接続されている。抵抗Ｒ４のもう一方の一端およびトランジスタＴｒ３のエミッタ端子が接地されている。
【００２７】
また、入力端子ＯＳＩＧ１は、信号線ＯＳＩＧ１ａによりトランジスタＴｒ１のベース端子および抵抗Ｒ１に接続されている。抵抗Ｒ１のもう一端は、抵抗Ｒ２におよびＰＮＰ型のトランジスタＴｒ２のベースに接続され、抵抗Ｒ２のもう一端およびトランジスタＴｒ２のエミッタ端子が抵抗膜４１の電極ＹＢに接続されている。また、端子５１ｂを介して一定電圧ＶREFがトランジスタＴｒ２のコレクタ端子に入力されている。
【００２８】
また、入力端子ＯＳＩＧ２は、信号線ＯＳＩＧ２ａによりＰＮＰ型のトランジスタＴｒ４のベース端子および抵抗Ｒ４に接続され、トランジスタＴｒ４のエミッタ端子から抵抗Ｒ６に接続されている。抵抗Ｒ６のもう一端は、ＮＰＮ型のトランジスタＴｒ６のベース端子および抵抗Ｒ７に接続され、トランジスタＴｒ６のエミッタ端子および抵抗Ｒ７のもう一端は接地されている。また、トランジスタＴｒ６のコレクタ端子は、信号線ＩＳＩＧ２ａにより抵抗膜４２の電極ＸＬおよび出力端子ＩＳＩＧ２に接続されている。また、端子５１ｃを介して一定電圧ＶREFがトランジスタＴｒ４のコレクタ端子に入力されている。
【００２９】
また、抵抗Ｒ４のもう一端は、抵抗Ｒ５およびＰＮＰ型のトランジスタＴｒ５のベースに接続され、抵抗Ｒ５のもう一端およびトランジスタＴｒ５のエミッタ端子が抵抗膜４２の電極ＸＲに接続されている。また、端子５１ｄを介して一定電圧ＶREFがトランジスタＴｒ５のコレクタ端子に入力されている。
【００３０】
次に、本実施形態の複写機１におけるタッチパネル３５がユーザにより接触された接触点の座標値を検出する方法について、図を参照にして以下に説明する。図６は、タッチパネル３５における接触点のＸ方向の座標値の検出を説明するための図である。図７は、タッチパネル３５における接触点のＹ方向の座標値の検出を説明するための図である。図５に示すように、タッチパネル３５におけるユーザによって接触された接触点のＸ方向の座標値が検出される場合（すなわち、Ｘ座標スキャン時）には、入力端子ＯＳＩＧ２から“Ｌ”（すなわち、ローレベル）の信号Ｓ２が入力され、入力端子ＯＳＩＧ１から“Ｈ”（すなわち、ハイレベル）の信号Ｓ１が入力されることで、トランジスタＴｒ４〜Ｔｒ６がＯＮとなり、トランジスタＴｒ１〜Ｔｒ３がＯＦＦとなる。
【００３１】
このとき、図６（ａ）に示すように、ユーザにより接触点４３が接触される前の状態では、抵抗膜４１がほぼＩＳＩＧ１と同じ電位になる。そして、図６（ａ）に示すように、ユーザにより接触点４３が接触されて、抵抗膜４１の接触点４３の部分が抵抗膜４２に接触すると、図６（ｂ）の等価回路に示すように、抵抗膜４２の電極ＸＬ−ＸＲ間にかかる電圧ＶXRFE（すなわち、電圧ＶREF）に対して、接触点４３によって分圧された電圧ＶXが信号線ＩＳＩＧ１ａに入力される。そして、出力端子ＩＳＩＧ１から電圧ＶXを読み込むことで接触点４３のＸ方向の座標値を検出することができる。
【００３２】
また、その接触点のＹ座標の値を検出する場合（すなわち、Ｙ座標スキャン時）には、図５に示すように、入力端子ＯＳＩＧ２から“Ｈ”（すなわち、ハイレベル）の信号Ｓ２が入力され、入力端子ＯＳＩＧ１から“Ｌ”（すなわち、ローレベル）の信号Ｓ１がされることで、トランジスタＴｒ４〜Ｔｒ６がＯＦＦとなり、トランジスタＴｒ１〜Ｔｒ３がＯＮとなる。
【００３３】
このとき、図７（ａ）に示すように、ユーザにより接触点４３が接触される前の状態では、抵抗膜４１がほぼＩＳＩＧ２と同じ電位になる。そして、図７（ａ）に示すように、ユーザにより接触点４３が接触されて、抵抗膜４１の接触点４３の部分が抵抗膜４２に接触すると、図７（ｂ）の等価回路に示すように、抵抗膜４２の電極ＹＴ−ＹＢ間にかかる電圧ＶYRFE（すなわち、電圧ＶREF）に対して、接触点４３によって分圧された電圧ＶYが信号線ＩＳＩＧ２ａに入力される。更に、その出力端子ＩＳＩＧ２から電圧ＶYを読み込むことで接触点４３のＹ方向の座標値を検出することができる。
【００３４】
通常状態では、このように、入力端子ＯＳＩＧ１および入力端子ＯＳＩＧ２から入力される信号Ｓ１、Ｓ２のレベルを制御することによりトランジスタＴｒ１〜Ｔｒ６の切り替え動作を繰り返し行うことによって、随時、タッチパネル３５の接触点４３の座標値を検出することができる。
【００３５】
次に、本実施形態の複写機１におけるタッチパネル３５のユーザにより接触された接触点４３の座標値の検出動作を行う全体の要部構成について以下に説明を行う。図８は、タッチパネル３５の接触点４３の座標値の検出動作を行う要部構成部分を示すブロック図である。複写機１の操作表示部１３は、図８に示すように、タッチパネル３５および回路部５０のほか、出力端子ＩＳＩＧ１、ＩＳＩＧ２から出力されたアナログの電圧ＶX、ＶYを読み込んでデジタルの電圧ＶX、ＶYに変換するアナログデジタル変換部５２（略称、Ａ／Ｄ変換部）と、ＣＰＵ１０の制御によりアナログデジタル変換部５２の制御および回路部５０の入力端子ＯＳＩＧ１、ＯＳＩＧ２へ入力される信号Ｓ１、Ｓ２の電圧レベルの切り替えを行うとともに、端子５１ａ〜５１ｄに一定電圧ＶREFを供給するＡＳＩＣ[Application Specific Integrated Circuit]５３と、を有して成る。なお、図８に示した要部構成部分は、タッチパネル３５のユーザにより接触された接触点４３の座標値の検出する座標検出手段に相当する。
【００３６】
また、上記構成から成る複写機１における通常状態時のタッチパネル３５がユーザによって接触されたその接触点４３の座標値の検出について以下に説明する。図８に示すように、ＣＰＵ１０により制御されたＡＳＩＣ５３により、アナログデジタル変換部５２の制御および端子５１ａ〜５１ｄに一定電圧ＶREFの供給が行われるとともに、入力端子ＯＳＩＧ１、ＯＳＩＧ２へ入力される信号Ｓ１、Ｓ２の電圧レベル“Ｈ”と“Ｌ”の切り替えが行われる。そして、出力端子ＩＳＩＧ１、ＩＳＩＧ２から前述の接触点４３の座標値に対応したアナログの電圧ＶX、ＶYが、アナログデジタル変換部５２に読み込まれ、デジタルに変換された電圧ＶX、ＶYがＡＳＩＣ５３に入力された後に、ＡＳＩＣ５３からＣＰＵ１０に入力される。そして、ＣＰＵ１０によりメモリ部１４に記憶された接触点４３の座標値の検出に関するプログラムおよびデータが利用されて、入力された電圧ＶX、ＶYからユーザによる接触点の座標値が求められる。
【００３７】
一方、図１に示すように、本実施形態の複写機１は、ファックス通信部１５を介して電話回線６０に接続され、電話回線６０に接続されたファックス６１に対して、ファックス送信を行うことが可能である。なお、本実施形態では、電話回線６０に接続されたファックスは、ファックス６１の１台であるが、複数台接続されていてもよい。
【００３８】
また、電話回線６０に接続されたファックス６１は、図示は省略するが、各種プログラム等が格納される記憶部、画像が表示されるディスプレイ、入力操作が行われる入力装置、ファックス６１の全体の制御を行う制御部、電話回線６０との接続を確立するためのファックス通信部、用紙を収納するための収納カセット、受信したデータに基づいて用紙に画像形成を行う印刷部等を有して成る。
【００３９】
次に、上記構成から成る複写機１における原稿複写動作について説明する。複写機１における原稿複写動作では、まず原稿搬送部１１から原稿取込部１２に原稿が搬送され、原稿取込部１２による該原稿の取込み（画像データの生成）が行われる。生成された画像データは、一旦メモリ部１４に格納された後、再び読み出されて画像形成部１５に送出される。その後、画像形成部１５では、入力された画像データに基づく用紙への画像形成処理並びに定着処理が行われる。そして、定着処理の完了した用紙は、排紙部１７に排出される。
【００４０】
また、複写機１におけるファックスの送信動作について説明する。例えば、図１〜図４に示すように、通常状態時にファックスモード切替部３６ｂ上のタッチパネル３５の検出範囲あるいは省電力状態時にファックスモード領域３８ｂに接触されると、タッチパネル３５の液晶ディスプレイにファックス送信用の案内が表示される。その案内に従って、原稿搬送部１１に原稿をセットされた後、テンキー３３で送信先のファックス番号が入力されて開始ボタン３２が押下されると、原稿搬送部１１から原稿取込部１２に原稿が搬送され、原稿取込部１２による該原稿の取込み（画像データの生成）が行われる。そして、ファックス通信部１８により画像データがファックス通信用データに変換されて、送信先に送信される。
【００４１】
なお、本実施形態の複写機１は、省電力状態時にタッチパネル３５が接触されたその接触点４３の１方向の座標値のみが検出されるとともに、省電力状態からの復帰および所望の機能の動作が可能となるモードへの移行するためにタッチパネル３５の所定の領域が接触された際に、タッチパネル３５への接触による省電力状態からの復帰と同時に、その接触された接触点の座標値に関連付けられた命令により選択された機能の動作が可能となるモードへの移行が実施される制御に特徴を有している。
【００４２】
そこで、以下では、図９のフローチャートを参照しながら、本実施形態の複写機１における省電力状態時にタッチパネル３５が接触されたその接触点４３の１方向の座標値のみが検出されるとともに、省電力状態からの復帰および所望の機能の動作が可能となるモードへの移行するためにタッチパネル３５の所定の領域が接触された際に、タッチパネル３５への接触による省電力状態からの復帰と同時に、その接触された接触点の座標値に関連付けられた命令により選択された機能の動作が可能となるモードへの移行が実施される制御について詳細な説明を行う。
【００４３】
本実施形態の複写機１では、ステップＳ９−１で、ＣＰＵ１０により複写機１がユーザにより所定の時間経過しても使用されない等の所定の条件を満たしていると判定される場合（Ｓ９−１ＹＥＳ）には、ステップＳ９−２で、ＣＰＵ１０の制御によりタッチパネル３５の下に備えられた液晶ディスプレイ３６への電源（不図示）から電力の供給が停止されるとともに、図５、図６および図８に示すように、ＡＳＩＣ５３から入力端子ＯＳＩＧ１、ＯＳＩＧ２にそれぞれ“Ｈ”の信号Ｓ１および“Ｌ”の信号Ｓ２が入力され、電極ＸＬ−ＸＲ間のＸ座標方向のみに電圧が負荷された省電力状態に移行される。一方、省電力状態時には、もう一方の電極ＹＴ−ＹＢ間のＹ座標方向の検出は行われないため、ＡＳＩＣ５３による入力端子ＯＳＩＧ１、ＯＳＩＧ２の信号レベルの切り替えは行われず、電極ＸＬ−ＸＲ間のＸ方向の座標値のみを検出する検出待機状態となる。これにより、省電力状態時には、トランジスタＴｒ１〜Ｔｒ６の切り替え動作が削減されるため、更に消費電力の削減を図ることが可能となる。
【００４４】
また、ステップＳ９−１で、ＣＰＵ１０により複写機１がユーザにより所定の時間経過しても使用されない等の所定の条件を満たしていないと判定される場合（Ｓ９−１ＮＯ）には、ステップＳ９−３で、通常状態のままユーザに接触されたタッチパネル１３５の接触点４３が、図５〜図８で説明したようにＸ方向およびＹ方向の座標値の検出が行われ、その座標値に応じた処理がＣＰＵ１０により行われる。
【００４５】
続いて、ステップＳ９−４で、ユーザによりタッチパネル３５の動作モード選択領域３８の複写モード領域３８ａ、ファックスモード領域３８ｂおよびスキャナモード領域３８ｃのうちのいずれかが選択されて接触されると、その接触点４３のＸ方向の座標値のみが前述したように検出される。
【００４６】
続いて、ステップＳ９−５で、ＣＰＵ１０よりタッチパネル３５の下に備えられた液晶ディスプレイ３６への電源（不図示）から電力の供給が再開されて省電力状態から通常状態に復帰するとともに、同時にメモリ部１４に記憶されたその検出されたＸ方向の座標値に対応する複写、ファックスおよびスキャナ機能のいずれかの機能の動作が可能になるモードに移行する命令が実行され、ユーザにより選択された機能の動作が可能になるモードに移行し、本動作が完了する。
【００４７】
なお、本実施形態の複写機１の省電力状態時におけるタッチパネル３５のユーザによって接触された接触点４３の座標値の検出は、Ｘ方向のみであったが、Ｘ方向あるいはＹ方向のいずれか１方向の座標値が検出される構成でもよい。また、本実施形態の複写機１における選択可能な機能は、複写、ファックスおよびスキャナ機能であったが、特にこれらの機能に限定されるものではなく、プリンタ機能やメール機能等が追加されていてもよい。
【００４８】
また、本実施形態の複写機１の省電力状態時におけるタッチパネル３５のユーザによって接触された接触点４３の座標値の検出によって、省電力状態から通常状態への復帰と同時にユーザの所望する機能の動作が可能になるモードへ移行される構成であったが、省電力状態から通常状態への復帰と同時に所定の画面に移行されてもよい。
【００４９】
以上で説明したように、本発明の表示装置を備えた本実施形態の複写機１であれば、省電力状態時におけるトランジスタＴｒ１〜Ｔｒ６の切り替え動作が行われないため、消費電力の削減を図ることが可能になるとともに、省電力状態から通常状態への復帰と同時にユーザの所望する機能の動作が可能になるモードへの移行あるいは所定の画面への移行を１回の動作で行うことが可能となる。
【産業上の利用可能性】
【００５０】
本発明は、タッチパネルを有する表示装置およびタッチパネルを有する表示装置を備えた複写機の他にも、プリンタ、ファクシミリなどの画像形成装置全般に広く適用が可能であり、省電力状態から通常状態への復帰時における操作数および消費電力の削減に有用な技術である。
【図面の簡単な説明】
【００５１】
【図１】は、本発明に係る複写機の要部構成を示すブロック図である。
【図２】は、本発明に係る複写機の要部構造を模式的に示す縦断面図である。
【図３】は、本実施形態の複写機１における操作表示部１３の通常状態時の操作パネルの一例を示す図である。
【図４】は、本実施形態の複写機１における操作表示部１３の省電力状態時の操作パネルの一例を示す図である。
【図５】は、本実施形態における複写機１のタッチパネル３５と回路部の概略構成の一例を示す図である。
【図６】は、タッチパネル３５における接触点のＸ方向の座標値の検出を説明するための図である。
【図７】は、タッチパネル３５における接触点のＹ方向の座標値の検出を説明するための図である。
【図８】は、タッチパネル３５の接触点４３の座標値の検出動作を行う要部構成部分を示すブロック図である。
【図９】は、本実施形態の複写機１における省電力状態時にタッチパネル３５が接触された際の動作を示すフローチャートである。
【図１０】は、従来の画像形成装置における動作モード切替用ボタンを備えた操作パネルを示す図である。
【図１１】は、従来の画像形成装置におけるタッチパネルの下に液晶ディスプレイを備えた操作パネルを示す図である。
【符号の説明】
【００５２】
１    複写機
１０    中央演算処理装置（ＣＰＵ）
１１    原稿搬送部
１２    原稿取込部
１３    操作表示部
１４    メモリ部
１５    画像形成部
１５１    プリント部
１５２    定着部
１６    給紙部
１６１ａ〜１６１ｃ    用紙収納部
１６２    用紙搬送部
１７    排紙部
１８    ファックス通信部
３０、２００    操作パネル
３１、２０５    停止ボタン
３２、２０４    開始ボタン
３３、２０３    テンキー
３４    動作モード切替用ボタン説明部
３５、２０２    タッチパネル
３６    液晶ディスプレイ
３７、２０６    動作モード切替用ボタン表示部
３８    動作モード選択領域
４１、４２    抵抗膜
４３    接触点
５０    回路部
５１ａ〜５１ｄ    端子
５２    アナログデジタル変換部
５３    ＡＳＩＣ
２０１    動作モード切替用ボタン
【図１】
2006211225.tif 000003
【図２】
2006211225.tif 000004
【図３】
2006211225.tif 000005
【図４】
2006211225.tif 000006
【図５】
2006211225.tif 000007
【図６】
2006211225.tif 000008
【図７】
2006211225.tif 000009
【図８】
2006211225.tif 000010
【図９】
2006211225.tif 000011
【図１０】
2006211225.tif 000012
【図１１】
2006211225.tif 000013